(57)【要約】【課題】一ページ単位の展開処理中に補正実行条件が成立する場合、印刷データの展開処理にずれ量測定結果を反映させるのが遅れることを抑制可能な印刷装置及び印刷プログラムを提供する。【解決手段】印刷装置１は、展開済データに基づき画像を印刷する印刷部１０と補正実行条件が成立する場合に、補正対象のずれ量を測定する測定部１５と、印刷データを、その測定結果に基づき展開処理をして展開済データを生成する展開部４０と、一ページ単位の展開処理中に補正実行条件が成立する場合には、当該一ページ単位の展開処理を中断し、ずれ量を測定し、その中断後の測定結果に基づき、前記一ページ単位のうち未展開部分の展開処理を開始させる制御部４０と、を備える。【選択図】図３
2011215339.tif 000002
【特許請求の範囲】
【請求項１】
展開済データに基づき画像を印刷する印刷部と、
補正実行条件が成立する場合に、前記印刷部が印刷した画像の位置及び濃度の少なくとも一方の補正対象のずれ量を測定する測定部と、
印刷データを、前記測定部の測定結果に基づき展開処理をして前記展開済データを生成する展開部と、
一ページ単位の展開処理中に前記補正実行条件が成立する場合には、前記展開部に当該一ページ単位の展開処理を中断させ、前記測定部に前記ずれ量を測定させ、前記展開部に、その中断後の測定結果に基づき、展開処理が中断された前記一ページ単位のうち未展開部分の展開処理を開始させる制御部と、を備える印刷装置。
【請求項２】
請求項１に記載の印刷装置であって、
前記制御部は、前記展開部に、展開処理が中断された前記一ページ単位のうち未展開部分だけでなく展開済部分をも、前記中断後の測定結果に基づき展開処理をさせる、印刷装置。
【請求項３】
請求項２に記載の印刷装置であって、
前記制御部は、前記展開部に、前記展開済部分について、前記展開処理の中断前に生成された展開済データを、前記中断後の測定結果に基づき更に展開処理をさせる、印刷装置。
【請求項４】
展開済データに基づき画像を印刷する印刷部と、
補正実行条件が成立する場合に、前記印刷部が印刷した画像の位置及び濃度の少なくとも一方の補正対象のずれ量を測定する測定部と、
印刷データを、前記測定部の測定結果に基づき展開処理をして前記展開済データを生成する展開部と、
印刷要求を受けた場合に、その印刷要求に対応する印刷データの展開処理中に前記補正実行条件が成立する可能性があるかどうかを、当該印刷データの展開処理前までに判断する補正可能性判断部と、
前記補正可能性判断部が、前記補正実行条件が成立する可能性があると判断した場合には、前記印刷データの展開処理を保留し、前記測定部に前記ずれ量を測定させ、前記展開部に、その保留後の測定結果に基づき、展開処理が保留された前記印刷データの展開処理を開始させる制御部と、を備える印刷装置。
【請求項５】
請求項１から請求項４のいずれか一項に記載の印刷装置であって、
前記印刷データが、補正必要データであるか否かを判断する補正要否判断部を備え、
前記制御部は、前記印刷データの展開処理中に前記補正実行条件が成立する場合であっても、前記補正要否判断部が前記補正必要データでないと判断した場合には、前記測定部に前記ずれ量を測定させることなく、前記展開部に前記印刷データの展開処理を続行させる、印刷装置。
【請求項６】
請求項１から請求項５のいずれか一項に記載の印刷装置であって、
ユーザによる印刷開始指示を受け付ける受付部を備え、
前記受付部が前記印刷開始指示を受け付けたことを条件に印刷を開始させる条件付きの印刷要求を受けた場合、前記制御部は、前記展開部に、前記受付部が前記印刷開始指示を受け付けたとき以降に展開処理を開始させる、印刷装置。
【請求項７】
展開済データに基づき画像を印刷する印刷部を有する印刷装置のコンピュータに、
補正実行条件が成立する場合に、前記印刷部が印刷した画像の位置及び濃度の少なくとも一方の補正対象のずれ量を測定する測定処理と、
印刷データを、前記測定処理の測定結果に基づき展開して前記展開済データを生成する展開処理と、
一ページ単位の展開処理中に前記補正実行条件が成立する場合には、当該一ページ単位の展開処理を中断し、前記測定処理により前記ずれ量を新たに測定し、その新たな測定結果に基づき、前記一ページ単位のうち未展開部分の展開処理を開始する制御処理と、を実行させる印刷プログラム。
【請求項８】
展開済データに基づき画像を印刷する印刷部を有する印刷装置のコンピュータに、
補正実行条件が成立する場合に、前記印刷部が印刷した画像の位置及び濃度の少なくとも一方の補正対象のずれ量を測定する測定処理と、
印刷データを、前記測定処理の測定結果に基づき展開して前記展開済データを生成する展開処理と、
印刷要求を受けた場合に、その印刷要求に対応する印刷データの展開処理中に前記補正実行条件が成立する可能性があるかどうかを、当該印刷データの展開処理前までに判断する補正可能性判断処理と、
前記補正可能性判断部が、前記補正実行条件が成立する可能性があると判断した場合には、前記印刷データの展開処理を保留し、前記測定処理により前記ずれ量を新たに測定し、その新たな測定結果に基づき、前記印刷データの展開処理を開始する制御処理と、を実行させる印刷プログラム。
【発明の詳細な説明】
【技術分野】
【０００１】
本発明は、印刷装置に関し、特に印刷位置や印刷濃度を補正する機能を備えた印刷装置及び印刷プログラムに関する。
【背景技術】
【０００２】
従来より、印刷装置として、形成した画像の位置や濃度のずれ量を測定し、その測定されたずれ量が低減するように印刷位置や印刷濃度を補正する画像補正機能を備えたものが知られている。こうした画像補正機能を頻繁に行うと、形成する画像の品質を確保することができる一方で、特にずれ量測定のためにユーザの待ち時間が長くなったり、インクやトナーの消費が増えたりといった不都合がある。
【０００３】
そこで、従来では、例えば前回の画像補正機能の実行時からの印刷枚数や経過時間などが所定値を超えたことなど、所定の補正実行条件が成立した場合に、画像補正機能のずれ量測定を実行していた。そして、ずれ量測定の実行中に、印刷データを受信した場合には、その印刷データを保持しておいて、ずれ量測定が終了した後に、そのずれ量測定結果により、保持しておいた印刷データについて展開処理を行う技術がある（例えば特許文献１参照）。
【先行技術文献】
【特許文献】
【０００４】
【特許文献１】特開２００４−５４１４３号公報
【発明の概要】
【発明が解決しようとする課題】
【０００５】
ところで、一般に、印刷装置は、印刷データを、一ページ単位ずつ展開処理をし、順次印刷処理していく。このため、一ページ単位の展開処理中に補正実行条件が成立することがある。しかし、従来は、一ページ単位の展開処理中に補正実行条件が成立する場合、その一ページ単位の展開処理をどのようにするかについて十分に検討されていなかった。例えば、この展開処理後にずれ量測定を実行したのでは、そのずれ量測定結果を展開処理に反映させるのが遅れる。
【０００６】
本発明は上記のような事情に基づいて完成されたものであって、その目的は、一ページ単位の展開処理中に補正実行条件が成立する場合、印刷データの展開処理にずれ量測定結果を反映させるのが遅れることを抑制可能な印刷装置及び印刷プログラムを提供するところにある。
【課題を解決するための手段】
【０００７】
上記の目的を達成するための手段として、第１発明に係る印刷装置は、展開済データに基づき画像を印刷する印刷部と、補正実行条件が成立する場合に、前記印刷部が印刷した画像の位置及び濃度の少なくとも一方の補正対象のずれ量を測定する測定部と、印刷データを、前記測定部の測定結果に基づき展開処理をして前記展開済データを生成する展開部と、一ページ単位の展開処理中に前記補正実行条件が成立する場合には、前記展開部に当該一ページ単位の展開処理を中断させ、前記測定部に前記ずれ量を測定させ、前記展開部に、その中断後の測定結果に基づき、展開処理が中断された前記一ページ単位のうち未展開部分の展開処理を開始させる制御部と、を備える。
【０００８】
この発明によれば、一ページ単位の展開処理中に補正実行条件が成立する場合には、当該一ページ単位の展開処理を中断し、ずれ量を測定し、その中断後の測定結果に基づき、展開処理が中断された一ページ単位のうち未展開部分の展開処理を開始する。このため、当該一ページ単位の展開処理の完了後にずれ量を測定する構成に比べて、印刷データの展開処理にずれ量の測定結果を反映させるのが遅れることを抑制することができる。
【０００９】
第２の発明は、第１の発明の印刷装置であって、前記制御部は、前記展開部に、展開処理が中断された前記一ページ単位のうち未展開部分だけでなく展開済部分をも、前記中断後の測定結果に基づき展開処理をさせる。
【００１０】
この発明によれば、未展開部分のみ、中断後の測定結果に基づき展開処理する構成に比べて、ページ全体の印刷品質を向上させることができる。
【００１１】
第３の発明は、第２の発明の印刷装置であって、前記制御部は、前記展開部に、前記展開済部分について、前記展開処理の中断前に生成された展開済データを、前記中断後の測定結果に基づき更に展開処理をさせる。
【００１２】
展開済部分について、展開済部分に対応する展開処理前の印刷データを、中断後の測定結果に基づき展開処理する構成でもよいが、この構成では、一ページ単位全体の展開処理が完了するまで展開処理前の印刷データをメモリに保存したり、改め印刷データを取得したりする必要がある。しかし、この発明によれば、既に旧測定結果による展開済データを、中断後の測定結果に基づき更に展開処理するから、展開処理前の印刷データをメモリに保存したりする必要がない。
【００１３】
第４の発明に係る印刷装置は、展開済データに基づき画像を印刷する印刷部と、補正実行条件が成立する場合に、前記印刷部が印刷した画像の位置及び濃度の少なくとも一方の補正対象のずれ量を測定する測定部と、印刷データを、前記測定部の測定結果に基づき展開処理をして前記展開済データを生成する展開部と、印刷要求を受けた場合に、その印刷要求に対応する印刷データの展開処理中に前記補正実行条件が成立する可能性があるかどうかを、当該印刷データの展開処理前までに判断する補正可能性判断部と、前記補正可能性判断部が、前記補正実行条件が成立する可能性があると判断した場合には、前記印刷データの展開処理を保留し、前記測定部に前記ずれ量を測定させ、前記展開部に、その保留後の測定結果に基づき、展開処理が保留された前記印刷データの展開処理を開始させる制御部と、を備える。
【００１４】
この発明によれば、印刷要求を受けた場合に、その印刷要求に対応する印刷データの展開処理中に補正実行条件が成立する可能性があるかどうかを、当該印刷データの展開処理前までに予測的に判断する。そして、補正実行条件が成立する可能性があると判断した場合には、当該印刷データの展開処理を保留し、ずれ量を測定し、その保留後の測定結果に基づき、展開処理が保留された上記印刷データの展開処理を開始する。このため、当該印刷データの展開処理の完了後にずれ量を測定する構成に比べて、印刷データの展開処理にずれ量の測定結果を反映させるのが遅れることを抑制することができる。
【００１５】
第５の発明は、第１から第４のいずれか一つの発明の印刷装置であって、前記印刷データが、補正必要データであるか否かを判断する補正要否判断部を備え、前記制御部は、前記印刷データの展開処理中に前記補正実行条件が成立する場合であっても、前記補正要否判断部が前記補正必要データでないと判断した場合には、前記測定部に前記ずれ量を測定させることなく、前記展開部に前記印刷データの展開処理を続行させる。
【００１６】
この発明によれば、例えば補正実行条件が成立する場合に展開処理中の印刷データが、例えばモノクロ画像データや低画質画像データなど、補正不要データである場合には、補正のためのずれ量測定よりも展開処理を優先させることにより、印刷処理の早期実行を図ることができる。
【００１７】
第６の発明は、第１から第５のいずれか一つの発明の印刷装置であって、ユーザによる印刷開始指示を受け付ける受付部を備え、前記受付部が前記印刷開始指示を受け付けたことを条件に印刷を開始させる条件付きの印刷要求を受けた場合、前記制御部は、前記展開部に、前記受付部が前記印刷開始指示を受け付けたとき以降に展開処理を開始させる。
【００１８】
この発明によれば、印刷開始指示を受け付けたことを条件に印刷を開始させる条件付きの印刷要求については、その印刷開始指示を受け付けたとき以降に展開処理を開始する。これにより、極力、直近の測定結果に基づき展開処理を行うことができる。
【００１９】
第７の発明に係る印刷プログラムは、展開済データに基づき画像を印刷する印刷部を有する印刷装置のコンピュータに、補正実行条件が成立する場合に、前記印刷部が印刷した画像の位置及び濃度の少なくとも一方の補正対象のずれ量を測定する測定処理と、印刷データを、前記測定処理の測定結果に基づき展開して前記展開済データを生成する展開処理と、一ページ単位の展開処理中に前記補正実行条件が成立する場合には、当該一ページ単位の展開処理を中断し、前記測定処理により前記ずれ量を新たに測定し、その新たな測定結果に基づき、前記一ページ単位のうち未展開部分の展開処理を開始する制御処理と、を実行させる。
【００２０】
第８の発明に係る印刷プログラムは、展開済データに基づき画像を印刷する印刷部を有する印刷装置のコンピュータに、補正実行条件が成立する場合に、前記印刷部が印刷した画像の位置及び濃度の少なくとも一方の補正対象のずれ量を測定する測定処理と、印刷データを、前記測定処理の測定結果に基づき展開して前記展開済データを生成する展開処理と、印刷要求を受けた場合に、その印刷要求に対応する印刷データの展開処理中に前記補正実行条件が成立する可能性があるかどうかを、当該一ページ単位の展開処理前までに判断する補正可能性判断処理と、前記補正可能性判断部が、前記補正実行条件が成立する可能性があると判断した場合には、前記一ページ単位の展開処理を保留し、前記測定処理により前記ずれ量を新たに測定し、その新たな測定結果に基づき、前記一ページ単位の展開処理を開始する制御処理と、を実行させる。
【発明の効果】
【００２１】
本発明によれば、一ページ単位の展開処理中に補正実行条件が成立する場合、印刷データの展開処理にずれ量測定結果を反映させるのが遅れることを抑制可能である。
【図面の簡単な説明】
【００２２】
【図１】本発明の実施形態１におけるプリンタの概略構成を示す側断面図
【図２】プリンタの電気的構成を簡略に示すブロック図
【図３】ジョブ実行処理を示すフローチャート
【図４】濃度パターンを示す図
【図５】展開処理と濃度測定のタイムチャート
【図６】実施形態２のジョブ実行処理を示すフローチャート
【発明を実施するための形態】
【００２３】
＜実施形態１＞
次に本発明の実施形態１について図１から図５を参照して説明する。
【００２４】
（プリンタの全体構成）
図１は、本実施形態のプリンタ１（本発明の「印刷装置」の一例）の概略構成を示す側断面図である。このプリンタ１は、電子写真方式のカラーＬＥＤプリンタである。なお、以下の説明では、同図における左側を前方とする。また、図１においては、各色間で同一の構成部品については一部符号を省略している。
【００２５】
プリンタ１は、本体ケーシング２を備えており、この本体ケーシング２の底部には、複数の用紙３（被記録媒体の一例）を積載可能な供給トレイ４が装着されている。供給トレイ４に積載された用紙３は、供給トレイ４の前端部上方に設けられた供給ローラ５によって上方のレジストローラ６へ送り出される。レジストローラ６は、用紙３を印刷部１０のベルトユニット１１上に搬送する。
【００２６】
印刷部１０は、ベルトユニット１１、露光部１７Ｋ〜１７Ｃ、プロセス部１９Ｋ〜１９Ｃ、定着器３１を備えている。
【００２７】
ベルトユニット１１は、前後一対のベルト支持ローラ１２Ａ，１２Ｂ間に環状のベルト１３を張架した構成となっており、ベルト１３が駆動されることによりベルト１３上面に静電吸着された用紙３が後方に向けて搬送される。また、ベルト１３の内側には、後述する各プロセス部１９Ｋ〜１９Ｃの感光ドラム２８とベルト１３を挟んで対向する位置にそれぞれ転写ローラ１４が設けられている。
【００２８】
露光部１７Ｋ，１７Ｙ，１７Ｍ，１７Ｃは、それぞれブラック、イエロー、マゼンタ、シアンの各色に対応しており、その下端部に複数のＬＥＤが一列に並んで設けられたＬＥＤヘッド１８を備えている。露光部１７Ｋ〜１７Ｃは、それぞれに供給される印刷データに基づいてＬＥＤヘッド１８の各ＬＥＤを発光させ、対応する感光ドラム２８の表面に一ライン毎に光を走査する。
【００２９】
ベルト１３の下方には、ベルト１３表面に形成されるパターンの検出等に用いられるパターンセンサ１５（本発明の「測定部」の一例）が設けられている。パターンセンサ１５は、ベルト１３表面に光を照射して、その反射光をフォトトランジスタ等で受光し、その受光量に応じたレベルの信号を出力する。さらに、ベルトユニット１１の下方には、ベルト１３表面に付着したトナーや紙粉等を回収するクリーナ１６が設けられている。
【００３０】
プロセス部１９Ｋ，１９Ｙ，１９Ｍ，１９Ｃは、それぞれ、ブラック、イエロー、マゼンタ、シアンの各色に対応しており、フレーム２１と現像カートリッジ２２とを備えている。各現像カートリッジ２２は、トナー収容室２３、供給ローラ２４、現像ローラ２５（現像手段の一例）を備えている。トナー収容室２３には、対応する色のトナーが収容されている。トナー収容室２３から放出されたトナーは、供給ローラ２４の回転により現像ローラ２５に供給され、供給ローラ２４と現像ローラ２５との間で正に摩擦帯電される。
【００３１】
また、フレーム２１の下部には、感光ドラム２８と、スコロトロン型の帯電器２９とが設けられている。感光ドラム２８は、接地された円筒状のドラム本体の表面に正帯電性の感光層を形成してなる。感光ドラム２８の表面は、その回転に伴い、帯電器２９からの放電によって一様に正帯電（例えば＋９００Ｖ）される。そして、露光部１７Ｋ〜１７Ｃからの走査により露光されて、表面電位が照射された光の強度に応じて部分的に低くなる（例えば＋１００Ｖ）ことで用紙３に形成する画像に対応した静電潜像が形成される。
【００３２】
そして、現像ローラ２５上に正帯電した状態で担持されているトナーが、現像ローラ２５に印加される現像バイアス電圧（例えば＋４５０Ｖ）によって、感光ドラム２８上の静電潜像に供給される。これにより、感光ドラム２８上の静電潜像がトナー像として可視像化される。
【００３３】
感光ドラム２８上に担持されたトナー像は、ベルト１３上の用紙３が感光ドラム２８と転写ローラ１４との間の各転写位置を通る間に、転写ローラ１４に印加される転写バイアス電圧（例えば−７００Ｖ）によって用紙３に順次重ねて転写される。トナー像が転写された用紙３は、本体ケーシング２内の後部に設けられた定着器３１に送り込まれ、そこでトナー像が用紙３に対して熱定着される。用紙３はその後、上方に搬送され、排出ローラ３２によって本体ケーシング２の上面に排出される。
【００３４】
（プリンタの電気的構成）
図２は、プリンタ１の電気的構成を簡略に示すブロック図である。
【００３５】
プリンタ１は、図２に示すように、ＣＰＵ４０、ＲＯＭ４１、ＲＡＭ４２、ＮＶＲＡＭ（不揮発性メモリ）４３、ネットワークインターフェイス４４を備えている。ＲＯＭ４１には、後述するジョブ実行処理など、このプリンタ１の各種の動作を実行するためのプログラムが記憶されている。ＣＰＵ４０（本発明の「受付部、補正要否判断部、測定部、展開部、制御部」の一例）は、ＲＯＭ４１から読み出したプログラムに従って、その処理結果をＲＡＭ４２またはＮＶＲＡＭ４３に記憶させながら各部の制御を行う。ネットワークインターフェイス４４は、ＬＡＮ等の通信回線を介して外部のコンピュータ（図示せず）等に接続され、相互にデータ通信が可能となっている。
【００３６】
また、プリンタ１は、既述の印刷部１０、パターンセンサ１５に加え、表示部４７及び操作部４８を備えている。表示部４７は、ディスプレイやランプ等を備え、各種の設定画面や装置の動作状態等を表示することが可能である。操作部４８は、複数のボタンを備え、ユーザが各種の指示を入力することが可能である。
【００３７】
さらに、プリンタ１は、既述の転写ローラ１４、現像ローラ２５、帯電器２９等に電圧を印加する高電圧印加回路４９を備えている。ＣＰＵ４０は、高電圧印加回路４９を制御して、各部に印加する電圧の大きさを調整することができる。
【００３８】
（ジョブ実行処理）
図３はジョブ実行処理を示すフローチャートである。ＣＰＵ４０は、外部のコンピュータ等から送信された印刷ジョブ（本発明の「印刷要求」の一例）を、ネットワークインターフェイス４４を介して受信すると、その印刷ジョブを印刷キューに登録する。印刷キューには複数の印刷ジョブを登録することができ、ＣＰＵ４０は、印刷キューに登録された各印刷ジョブに対して、順次、図３に示すジョブ実行処理を実行する。
【００３９】
ここで、受信する印刷ジョブの中には、ユーザが操作部４８にて印刷開始指示の入力操作をしたことを条件に印刷を開始する、いわゆるセキュアジョブ（本発明の「条件付きの印刷要求」の一例）が含まれ得る。ＣＰＵ４０は、このセキュアジョブを受信したときには、例えば印刷キューには登録せずにＮＶＲＡＭ４３に記憶することにより印刷処理（展開処理を含む）を禁止し、操作部４８を介して上記印刷開始指示を受け付けたときに印刷キューに登録し、ジョブ実行処理の対象とする。これにより、セキュアジョブについて、印刷要求時ではなく、印刷実行時に対して極力、直近の測定結果（後述する濃度補正データ）に基づき展開処理を行うことができる。このときＣＰＵ４０は本発明の「受付部」として機能する。
【００４０】
ＣＰＵ４０は、ジョブ実行処理において、まず現在処理対象の印刷ジョブ（以下、「現在ジョブ」ともいう）の全ページの展開処理が終了したか否かを判断する（Ｓ１０１）。なお、ＣＰＵ４０は、展開済データを一ページ単位分、生成するごとに、その展開済データを印刷部１０に引渡し、当該展開済データに基づく画像を用紙３に印刷させる。
【００４１】
未展開のページがあれば（Ｓ１０１：ＮＯ）、未展開の一ページ単位の印刷データ（例えばＰＤＬデータなど）について展開処理を開始する（Ｓ１０３）。展開処理では、現在処理対象の一ページ（以下、「現在ページ」ともいう）の印刷データを解析して各色ごとの中間データ（オブジェクトデータ）を生成し、各中間データを、現在ＮＶＲＡＭ４３に記憶されている濃度補正データ（以下、「現在補正データ」ともいう））に基づき諧調を調整しつつ展開して、展開済データ（ビットマップデータ）を生成していく。このときＣＰＵ４０は本発明の「展開部」として機能する。
【００４２】
次にＣＰＵ４０は、現在ページの展開処理の途中に、所定の補正実行条件が成立するかを判断する（Ｓ１０５）。この補正実行条件とは、画像品質を確保するために濃度測定の実行が必要な状態（若しくは実行が望ましい状態）であるかを判断するための条件であって、具体的には、例えば、前回の濃度測定の実行からの経過時間、感光ドラム２８の回転数、印刷累計枚数若しくは温度変化が基準以上であることや、ユーザにより操作部４８等にて補正指令の入力操作がされたこと等である。
【００４３】
（１）補正実行条件が成立し、且つ、補正必要ページである場合
ＣＰＵ４０は、補正実行条件が成立する場合（Ｓ１０５：ＹＥＳ）には、印刷データのヘッダ情報または解析結果に基づき、現在ページが補正必要ページであるか否かを判断する（Ｓ１０７）。このときＣＰＵ４０は本発明の「補正要否判断部」として機能する。ここで、補正必要ページとは、例えば、カラーページや、所定レベル以上の解像度を有する高解像度ページなど、高品質の印刷が求められるページをいう。カラーページとは、ブラック、イエロー、マゼンタ、シアンのトナーのうち複数色を用いて印刷されるページをいい、いずれか一色を用いて印刷されるページをモノクロページという。なお、ブラック以外の１色のトナーで形成されるページをモノクロページでなくカラーページとしても良い。
【００４４】
現在ページが補正必要ページである場合（Ｓ１０７：ＹＥＳ）には、ＣＰＵ４０は、当該現在ページの展開処理を中断し、当該現在ページを「再展開対象ページ」とし（Ｓ１０９）、その展開済部分の展開済データ、及び、未展開部分の印刷データを例えばＮＶＲＡＭ４３に記憶する。そして、以下に述べる濃度測定を行い、その測定結果に基づき生成した最新の濃度測定データに、上記現在補正データを更新する（Ｓ１１１）。
【００４５】
濃度測定では、まず印刷部１０によりベルト１３上に、例えば図４に示すような濃度パターンＰを形成する。この濃度パターンＰは、ベルト１３の移動方向に沿って並んだ複数のパッチから構成されている。より詳細には、濃度パターンＰは、ブラック、イエロー、マゼンタ、シアンの各色について濃度が異なる５つのパッチを備えている（ブラックのパッチＫ１〜Ｋ５、シアンのパッチＣ１〜Ｃ５、マゼンタのパッチＭ１〜Ｍ５、及びイエローのパッチＹ１〜Ｙ５、一部図示を省略）。
【００４６】
次に、パターンセンサ１５により各パッチの濃度を測定する。そして、その測定結果（本発明の「中断後の測定結果」の一例）に基づいて、濃度０％から１００％までを２５６等分した各階調において、印刷部１０により用紙３上に画像を形成した時の濃度が理想濃度となるような濃度補正データを各色毎に生成する。ここで得られる濃度補正データには、ＬＥＤヘッド１８のＬＥＤの発光強度を階調毎に調整するための調整値と、現像バイアス電圧を調整する（即ち全階調の濃度を調整する）ための調整値とが含まれる。そして、ＣＰＵ４０は、生成した濃度補正データをＮＶＲＡＭ４３に記憶し、現在補正データを更新する。
【００４７】
続いてＣＰＵ４０は、ＮＶＲＡＭ４３に記憶されている再展開対象ページについて、更新後の現在補正データを用いて諧調を調整しつつ展開処理を行う（Ｓ１１３）。これにより、印刷部１０は、最新の濃度補正データにより濃度補正がされた画像を用紙３に印刷することができる。このときＣＰＵ４０は本発明の「制御部」として機能する。
【００４８】
ここで、ＣＰＵ４０は、展開処理を中断された再展開対象ページの未展開部分だけでなく、展開済部分をも、更新後の現在補正データを用いて再び展開処理を行う。これにより、未展開部分のみ、更新後の現在補正データに基づき展開処理する構成に比べて、ページ全体の印刷品質を向上させることができる。
【００４９】
しかも、未展開部分については、その印刷データを展開処理する一方で、展開済部分については、Ｓ１０９での展開処理の中断前に既に展開された展開済データを、ＮＶＲＡＭ４３に保存しておき、更新後の現在補正データを用いて再び展開処理を行う。展開済部分について、展開済部分に対応する展開処理前の印刷データを、更新後の現在補正データを用いて展開処理する構成でもよいが、この構成では、現在ページ全体の展開処理が完了するまで展開処理前の印刷データをＮＶＲＡＭ４３等に保存したり、前述した外部のコンピュータ等から改めて印刷データを取得したりする必要がある。しかし、本実施形態によれば、展開処理の中断前の展開済データを、更新後（中断後）の現在補正データを用いて更に展開処理するから、展開処理前の印刷データをＮＶＲＡＭ４３等に保存したりする必要がない。
【００５０】
ＣＰＵ４０は、全ての再展開対象ページの展開処理を完了すると、Ｓ１０１に戻る。
【００５１】
（２）補正実行条件の不成立の場合、または、補正必要ページでない場合
ＣＰＵ４０は、補正実行条件が成立していない場合（Ｓ１０５：ＮＯ）には、現在ページの印刷データについて、濃度測定をすることなくそのまま展開処理を続行する（Ｓ１１５）。次に現在ページは、現在ジョブにおいて展開処理の中断（Ｓ１０９参照）前に既に展開された補正必要ページであるかどうかを判断する（Ｓ１１７）。
【００５２】
現在ページが、その中断前展開済の補正必要ページであれば（Ｓ１１７：ＹＥＳ）、当該ページを再展開対象ページとし（Ｓ１１９）、その展開済データを印刷部１０に引き渡さずにＮＶＲＡＭ４３に保存することにより、その印刷処理を保留し、Ｓ１０１に戻る。これにより、中断前展開済の補正必要ページは、Ｓ１０９において展開処理が中断されたページとともに、Ｓ１１３において更新後の濃度補正データを用いて再展開処理が行われる。即ち、展開処理が中断されたページだけでなく、それより前の補正必要ページについても、最新の濃度補正データにより濃度補正がされた画像を用紙３に印刷する。
【００５３】
従って、同一印刷ジョブ内において、新旧の異なる濃度補正データが利用されることにより、色合いが異なるなどといった印刷品質の低下を抑制することができる。なお、現在ジョブについて全ページが展開済であっても（Ｓ１０１：ＹＥＳ）、中断前展開済の補正必要ページ、すなわち、再展開対象ページが印刷されずに残っている場合がある。したがって、再展開対象ページが印刷されずに残っているかどうかを判断し（Ｓ１２１）、再展開対象ページが印刷されずに残っている場合には（Ｓ１２１：ＹＥＳ）、当該ページの展開済データを印刷部１０に引き渡す（Ｓ１２３）。そして、再展開対象ページが無い（Ｓ１２１：ＮＯ）、または、再展開対象ページの展開済データを印刷部１０に引き渡した場合、現在ジョブについて本ジョブ実行処理を終了し、印刷キューに登録されている次の印刷ジョブについてジョブ実行処理を開始する。
【００５４】
現在ページが中断前展開済の補正必要ページでなければ（Ｓ１１７：ＮＯ）、当該ページを再展開対象ページとすることなく、その展開済データを印刷部１０に引き渡してＳ１０１に戻る。また、補正実行条件が成立したが、現在ページが補正必要データでない場合（Ｓ１０５：ＹＥＳ、且つ、Ｓ１０７：ＮＯ）には、濃度測定をすることなくそのまま展開処理を続行し（Ｓ１１５）、Ｓ１１７でＮＯになってＳ１０１に戻る。これにより、現在ページが、例えばモノクロ画像データや低解像度データなど、補正不要データである場合には、補正のためのずれ量測定よりも展開処理を優先させることにより、印刷処理の早期実行を図ることができる。
【００５５】
（３）具体例
図５は展開処理と濃度測定のタイムチャートである。同図には、１ページ目がモノクロ画像、２から４ページ目がカラー画像である全４ページの印刷ジョブに対する展開処理が例示されている。同図に示すように、１，２ページ目の展開処理は中断することなく完了する。但し、２ページ目はカラーページであるから（Ｓ１０５：ＮＯ、且つ、Ｓ１１７：ＹＥＳ）、再展開対象ページとして印刷が保留される。
【００５６】
次に、３ページ目の展開処理の途中で補正実行条件が成立すると（Ｓ１０５：ＹＥＳ）、その時点で展開処理が中断される（Ｓ１０９）。そして、濃度測定（Ｓ１１１）が実行された後に、上記２ページ目と３ページ目について、最新の濃度補正データを利用して展開処理が再開される。その後、４ページ目も最新の濃度補正データを利用して展開処理がされる。
【００５７】
（本実施形態の効果）
本実施形態によれば、現在ページ（一ページ単位）の展開処理中に補正実行条件が成立する場合には、当該現在ページの展開処理を中断し、濃度測定を行い、その中断後の測定結果に基づき、上記現在ページのうち少なくとも未展開部分の展開処理を開始する。このため、現在ページ、或いは、現在ジョブの展開処理が完了した後に濃度測定を行う構成に比べて、印刷データの展開処理に最新の濃度補正データを反映させるのが遅れることを抑制することができる。
【００５８】
＜実施形態２＞
図６は実施形態２を示す。前記実施形態１との相違は、ジョブ実行処理の内容にあり、その他の点は前記実施形態１と同様である。従って、実施形態１と同一符号を付して重複する説明を省略し、異なるところのみを次に説明する。
【００５９】
図６は本実施形態のジョブ実行処理を示すフローチャートである。ＣＰＵ４０は、印刷キューに登録された各印刷ジョブに対して、順次、同図に示すジョブ実行処理を実行する。まず現在ジョブの展開処理中に補正実行条件が成立する可能性があるか否かを予測的に判断するための判断要素を取得する（Ｓ２０１）。
【００６０】
この判断要素の例として次のものが挙げられる。
ａ．前回の濃度測定の実行からの印刷累計枚数が基準以上であることが補正実行条件である場合、現在ページの展開処理前における印刷累計枚数Ｐ１、現在ジョブの印刷ページ枚数Ｐ２が判断要素である。印刷累計枚数Ｐ１に現在ジョブの印刷ページ枚数Ｐ２を加えたページ数（Ｐ１＋Ｐ２）が基準以上である場合には、現在ジョブの展開処理中に補正実行条件が成立する可能性があると判断し、基準未満である場合には、成立する可能性がないと判断する。
ｂ．前回の濃度測定の実行からの経過時間が基準以上であることが補正実行条件である場合、印刷要求時（または現在ジョブの展開処理前）までの経過時間Ｔ１、現在ジョブの印刷所要時間Ｔ２が判断要素である。経過時間Ｔ１に現在ジョブの印刷所要時間Ｔ２を加えた時間（Ｔ１＋Ｔ２）が基準以上である場合には、現在ジョブの展開処理中に補正実行条件が成立する可能性があると判断し、基準未満である場合には、成立する可能性がないと判断する。なお、印刷所要時間Ｔ２は、例えば現在ページの印刷データのデータ量や印刷ページ数等から予測することができる。
【００６１】
ＣＰＵ４０は、現在ジョブの展開処理中に補正実行条件が成立する可能性がないと判断した場合（Ｓ２０３：ＮＯ）、濃度測定をせずに、現在ジョブの全ページについて現在補正データを用いて諧調を調整しつつ展開処理を行って（Ｓ２１１）、本ジョブ実行処理を終了する。
【００６２】
ＣＰＵ４０は、現在ジョブの展開処理中に補正実行条件が成立する可能性があると判断した場合（Ｓ２０３：ＹＥＳ）、濃度測定をせずに、展開処理中に補正実行条件が成立する可能性が高いページ（以下、「条件成立可能性ページ」という）の前ページまで、現在補正データを用いて諧調を調整しつつ展開処理を行う（Ｓ２０５）。しかし、条件成立可能性ページ以降のページについては補正実行条件が成立するまで展開処理を保留し（Ｓ２０７：ＮＯ）、補正実行条件が成立した場合（Ｓ２０７：ＹＥＳ）には、前述の図３のＳ１１１と同様、濃度測定を実行し、その測定結果に基づき生成した最新の濃度測定データに、上記現在補正データを更新する（Ｓ２０９）。
【００６３】
次に、条件成立可能性ページ以降のページについて、更新後の現在補正データを用いて諧調を調整しつつ展開処理を行い（Ｓ２１１）、本ジョブ実行処理を終了する。これにより、印刷部１０は、最新の濃度補正データにより濃度補正がされた画像を用紙３に印刷することができる。
【００６４】
以上のように、本実施形態によれば、現在ページ、或いは、現在ジョブの展開処理が完了した後に濃度測定を行う構成に比べて、印刷データの展開処理に最新の濃度補正データを反映させるのが遅れることを抑制することができる。しかも、条件成立可能性ページについて、その展開処理中に補正実行条件が成立することを未然に回避するため、新旧の異なる濃度補正データが利用されることにより色合いが異なるなどといった印刷品質の低下を抑制することができる。
【００６５】
＜他の実施形態＞
本発明は上記記述及び図面によって説明した実施形態に限定されるものではなく、例えば次のような種々の態様も本発明の技術的範囲に含まれる。特に、各実施形態の構成要素のうち、最上位の発明の構成要素以外の構成要素は、付加的な要素なので適宜省略可能である。
【００６６】
（１）上記実施形態では、電子写真方式で画像を形成するプリンタを示したが、本発明は、例えば、インクジェット方式など他の方式の画像形成装置にも適用できる。また、画像形成として、例えば、ファクシミリで受信したデータの印刷、スキャナで取り込んだデータの印刷（コピー）、外部の記憶媒体から取得したデータの印刷（ダイレクトプリント）を実行する場合などにも本発明を適用することができる。
【００６７】
（２）上記実施形態では、補正実行条件が成立する場合に、濃度測定をし、その測定結果に基づき画像の濃度を補正する場合を例に挙げて説明したが、本発明はこれに限られない。例えば公知の位置ずれ補正用パターンをベルト１３に形成し、パターンセンサ１５により各色画像間の位置ずれ量（色ずれ量）を測定し、その測定結果に基づき位置ずれを補正する構成でもよい。
【符号の説明】
【００６８】
１...プリンタ
１０...印刷部
１５...パターンセンサ
４０...ＣＰＵ
【図１】
2011215339.tif 000003
【図２】
2011215339.tif 000004
【図３】
2011215339.tif 000005
【図４】
2011215339.tif 000006
【図５】
2011215339.tif 000007
【図６】
2011215339.tif 000008